(57)【要約】【課題】エネルギー利用の効率を向上させる温水暖房給湯装置を提供する。【解決手段】温水暖房給湯装置１０は、熱源装置１と、循環手段５４と、貯湯タンク５５と、貯湯タンク５５の上部の温水を熱源装置１で加熱された流体で加熱する第１の熱交換器５６ａと、貯湯タンク５５の下部の温水を熱源装置１で加熱された流体で加熱する第２の熱交換器５６ｂとを備え、貯湯タンク５５の蓄熱量が所定の値以下の場合は、第１の熱交換器５６ａと第２の熱交換器５６ｂの両方に流体を循環させ、貯湯タンク５５の蓄熱量が所定の値以下の場合は第１の熱交換器５６ａに流体を循環させる。【選択図】図１
2012013346.tif 000002
【特許請求の範囲】
【請求項１】
流体を加熱する熱源装置と、前記熱源装置で加熱された流体を循環させる循環手段と、温水を貯蔵する貯湯タンクと、前記貯湯タンクの上部の温水を前記流体で加熱する第１の熱交換器と、前記貯湯タンクの下部の温水を前記流体で加熱する第２の熱交換器と、前記第１の熱交換器と前記第２の熱交換器の両方、または、いずれか一方に前記流体を循環させる流路切換手段とを備えたことを特徴とする温水暖房給湯装置。
【請求項２】
前記貯湯タンクの蓄熱量が所定の値以下の場合は前記第１の熱交換器と前記第２の熱交換器の両方に前記流体を循環させ、前記貯湯タンクの蓄熱量が所定の値を超過する場合は前記第１の熱交換器に前記流体を循環させることを特徴とする請求項１に記載の温水暖房給湯装置。
【請求項３】
前記流体の熱を放熱する放熱器を備え、前記放熱器の放熱量が所定の値を超過する場合は前記第１の熱交換器と前記第２の熱交換器の両方に前記流体を循環させ、前記放熱器の放熱量が所定の値以下の場合は前記第１の熱交換器に前記流体を循環させることを特徴とする請求項１に記載の温水暖房給湯装置。
【請求項４】
前記貯湯タンクの蓄熱量が所定の値以下の場合は、前記放熱器の放熱量が所定の値を超過する場合でも、前記第１の熱交換器に前記流体を循環させることを特徴とする請求項３に記載の温水暖房給湯装置。
【発明の詳細な説明】
【技術分野】
【０００１】
本発明は、熱源装置で生成した高温の流体を利用して暖房運転や蓄熱運転を行う温水暖房給湯装置に関する。
【背景技術】
【０００２】
従来、熱源装置で水を加熱して高温の流体を生成し、その高温の流体を利用して貯湯タンクに温水を蓄える蓄熱運転を行ったり、その高温流体を利用して暖房運転を行ったりする温水暖房給湯装置が知られている。
【０００３】
例えば、特許文献１には、図５に示すような温水暖房給湯装置１００を用いて暖房や給湯を行うことが開示されている。この温水暖房給湯装置１００は、熱源装置１１０、流体を循環させる第１の循環手段１２０、及び、貯湯タンク１４０が流体回路１５０に接続され、環状に配設されて構成されている。
【０００４】
貯湯タンク１４０の内部には、貯湯タンク１４０の上部領域から下部領域に亘って熱交換器１３０を備えている。熱交換器１３０は上部に第１接続口１３１ａ、下部に第２接続口１３１ｂが配置されている。
【０００５】
また、流体回路１５０には、熱交換器１３０からみて熱源装置１１０に対して並列に放熱器３００が接続されている。そして、熱交換器１３０には、第２の循環手段３１０で流体を循環させる構成としている。
【０００６】
蓄熱運転の場合は、第１開閉弁２００、第２開閉弁２１０が開状態に設定され、第３開閉弁２２０、第４開閉弁２３０が閉状態に設定される。
【０００７】
熱源装置１１０で生成された高温の流体は、熱源装置１１０から流出し、流体回路１５０を通じて貯湯タンク１４０の内部に配設されている熱交換器１３０へ流入する。熱交換器１３０の上部にある第１接続口１３１ａから流入した流体は、貯湯タンク１４０内の水を加熱する。熱交換器１３０で保有する温熱を放熱し、冷却された流体は、熱交換器１３０の下部にある第２接続口１３１ｂから流出し、第１の循環手段１２０を通じて、熱源装置１１０へ流入する。
【０００８】
貯湯タンク１４０内で加熱された温水は、給湯等に使われる。
【０００９】
暖房運転の場合は、第１開閉弁２００、第２開閉弁２１０が閉状態に設定され、第３開閉弁２２０、第４開閉弁２３０が開状態に設定される。
【００１０】
貯湯タンク１４０の上部にある第１接続口１３１ａから流出した流体は、放熱器３００に搬送される。放熱器３００で保有する温熱を放熱し、冷却された流体は、第２の循環手段３１０を通じて、貯湯タンク１４０の下部にある第２接続口１３１ｂへ流入する。これにより、放熱器３００の周囲が加熱される暖房運転を行うことができる。
【００１１】
このように、熱源装置１１０で流体を加熱して高温の流体を生成し、流体回路１５０の開閉弁を操作して貯湯タンク１４０へ蓄熱することで、暖房や給湯の熱負荷が発生した場合に、貯湯タンク１４０が保有する温熱を暖房や給湯に利用することができる。
【先行技術文献】
【特許文献】
【００１２】
【特許文献１】国際公開第２００９／００９３６８号
【発明の概要】
【発明が解決しようとする課題】
【００１３】
しかしながら、前記従来の構成では蓄熱運転時、熱源装置１１０で生成された高温の流体が第１接続口１３１ａに流入すると、高温の流体は貯湯タンク１４０の上部領域から下部領域の範囲で放熱し、貯湯タンク１４０内の全量の水を加熱して、第２接続口１３１ｂから流出する。
【００１４】
つまり、給湯等の高温の温水が必要な場合、貯湯タンク１４０内の全量の水を高温に沸き上げることとなる。
【００１５】
このとき、例えば給湯等の熱負荷が小さく、貯湯タンク１４０に貯蔵された温水の使用量が少ない場合は、熱負荷に比べて過剰に貯湯タンク１４０に蓄熱していることとなり、不必要なエネルギーを使用している面から、エネルギー利用の効率化が図られていないという課題を有していた。
【００１６】
本発明は、前記従来の課題を解決するもので、貯湯タンクの熱負荷の大小に応じて貯湯タンクの蓄熱領域を変化させることで、エネルギー利用の効率を向上できる温水暖房給湯装置を提供することを目的とする。
【課題を解決するための手段】
【００１７】
前記従来の課題を解決するために、本発明の温水暖房給湯装置は、熱源装置と熱源装置で加熱された流体（加熱流体）を循環させる循環手段と、温水を貯蔵する貯湯タンクと、貯湯タンクの上部の温水を加熱流体で加熱する第１の熱交換器と、貯湯タンクの下部の温水を加熱流体で加熱する第２の熱交換器と、第１の熱交換器と第２の熱交換器の両方、または、いずれか一方に流体を循環させる流路切換手段とを備えた構成としたものである。
【００１８】
これによって、熱負荷に応じて、第１の熱交換器と第２の熱交換器の両方、または、いずれか一方に流体を循環させることができる。
【発明の効果】
【００１９】
本発明の温水暖房給湯装置は、熱負荷に応じて、貯湯タンク全体に温水を蓄えるか、貯湯タンクの略半分のみに温水を蓄えるかを選択できるために、熱負荷に応じた蓄熱を行うことが可能となり、エネルギー利用の効率を向上させることができる。
【図面の簡単な説明】
【００２０】
【図１】本発明の実施の形態１における温水暖房給湯装置の流体回路（高負荷時の蓄熱運転）の概略説明図
【図２】本発明の実施の形態１における温水暖房給湯装置の流体回路（低負荷時の蓄熱運転）の概略説明図
【図３】本発明の実施の形態２における温水暖房給湯装置の流体回路（高負荷時の暖房運転）の概略説明図
【図４】本発明の実施の形態２における温水暖房給湯装置の流体回路（低負荷時の暖房運転）の概略説明図
【図５】従来の温水暖房給湯装置の概略構成図
【発明を実施するための形態】
【００２１】
第１の発明は、流体を加熱する熱源装置と、熱源装置で加熱された流体を循環させる循
環手段と、温水を貯蔵する貯湯タンクと、貯湯タンクの上部の温水を流体で加熱する第１の熱交換器と、貯湯タンクの下部の温水を流体で加熱する第２の熱交換器と、第１の熱交換器と第２の熱交換器の両方、または、いずれか一方に流体を循環させる流路切換手段とを備える。
【００２２】
その結果、熱負荷に応じて、流体を第１の熱交換器と第２の熱交換器の両方、または、いずれか一方へ搬送することを選択できる。このため、熱負荷に応じた蓄熱を行うことで、エネルギー利用の効率を向上させることができる。
【００２３】
第２の発明は、特に、第１の発明における温水暖房装置において、貯湯タンクの蓄熱量が所定の値以下の場合は、第１の熱交換器と第２の熱交換器の両方に加熱流体を循環させ、貯湯タンクの蓄熱量が所定の値を超過する場合は第１の熱交換器に流体を循環させるものである。
【００２４】
その結果、蓄熱運転時に、貯湯タンクの蓄熱量が所定の値以下の場合は、貯湯タンク全体に蓄熱でき、貯湯タンクの蓄熱量が所定の値を超過する場合は、貯湯タンクの略上半分の温水のみを加熱し、貯湯タンクの略上半分のみに集中的に蓄熱させることができる。このため、貯湯タンクの熱負荷に応じた蓄熱を行うことで、エネルギー利用の効率を向上させることができる。
【００２５】
第３の発明は、特に、第１の発明における温水暖房装置において、流体の熱を放熱する放熱器を備え、放熱器の放熱量が所定の値を超過する場合は、貯湯タンクの第１の熱交換器と第２の熱交換器の両方に流体を循環させ、放熱器の放熱量が所定の値以下の場合は第１の熱交換器に流体を循環させるものである。
【００２６】
その結果、暖房運転時、暖房に使う放熱器の放熱量が所定の値を超過する場合は、貯湯タンク全体から吸熱し、放熱器の放熱量が所定の値以下の場合は貯湯タンクの略上半分の温水のみから吸熱し、その吸熱した熱量を放熱器で放熱させる。このため、暖房に使う放熱器の負荷に応じて、貯湯タンクに蓄えられた高温の温水の領域を全体と略上半分とで変化させて、蓄熱された熱量を使うことでエネルギー利用の効率を向上させることができる。
【００２７】
第４の発明は、特に、第３の発明において、貯湯タンクの蓄熱量が所定の値以下の場合は、放熱器の放熱量が所定の値を超過する場合でも、第１の熱交換器に流体を循環させるものである。
【００２８】
この結果、暖房運転時に、暖房に使う放熱器の放熱量が所定の値以下の場合であっても、貯湯タンクの蓄熱量が少ない場合には、有効に熱交換できる第１の熱交換器のみから吸熱できるので、エネルギー利用の効率を向上させることができる。
【００２９】
以下、本発明の実施の形態について、図面を参照しながら説明する。なお、この実施の形態によって本発明が限定されるものではない。
【００３０】
（実施の形態１）
図１に、本発明の第１の実施形態に係る温水暖房給湯装置１０を示す。
【００３１】
この温水暖房給湯装置１０は、冷凍サイクル装置である熱源装置１と、流体回路５と、貯湯タンク５５とを備えている。
【００３２】
熱源装置１は、冷媒を循環させる冷媒回路２を備えており、冷媒としては、例えば、Ｒ
４１０Ａ等の擬似共沸混合冷媒、またはＲ３２等の単一冷媒等を用いることができる。
【００３３】
冷媒回路２は、圧縮機２１、冷媒流体熱交換器２２、膨張弁やキャビラリーチューブなどの膨張手段２３及び蒸発器２４が配管により環状に接続されて構成されている。本実施形態では、蒸発器２４と圧縮機２１の間に、気液分離を行うアキュムレータ２５が設けられている。また、冷媒回路２には、冷媒流体熱交換器２２で流体を加熱し貯湯タンク５５に熱を蓄える蓄熱運転と、蒸発器２４に付着した霜を融解させる除霜運転とを切り換えるための四方弁３が設けられている。
【００３４】
蓄熱運転では、圧縮機２１から吐出された冷媒が四方弁３を介して冷媒流体熱交換器２２に送られる。
【００３５】
本実施形態では、熱源装置１は、蓄熱運転により生成された流体を貯湯タンク５５の蓄熱に利用する高温流体生成装置を構成しており、冷媒流体熱交換器２２が、高温冷媒と低温の流体（例えば水や不凍液）との間で熱交換を行わせて流体を加熱するための熱交換器となっている。
【００３６】
流体回路５は、冷媒流体熱交換器２２から流出した流体を貯湯タンク５５などに供給する供給管５１、貯湯タンク５５などから流出した流体を冷媒流体熱交換器２２へ回収する回収管５２、供給管５１から供給される流体で周囲の空気や床などを加熱する放熱器５３、流体を循環させるポンプなどの循環手段５４を備えている。
【００３７】
また、流体回路５は、放熱器５３をバイパスするバイパス回路５６と、バイパス回路５６を流れる流体の流量を調整する弁である流量調整手段６１ｄとを備えている。流量調整手段６１ｄとしては、流量調整弁以外に、二方弁、電磁開閉弁を用いることができる。
【００３８】
貯湯タンク５５には、貯湯タンク５５の略上半分に第１の熱交換器５６ａと、貯湯タンク５５の略下半分に第２の熱交換器５６ｂが内設されている。第１の熱交換器５６ａは、第１流路切換手段６１ａと、第２流路切換手段６１ｂとを介して、供給管５１に接続されている。第２の熱交換器５６ｂは、第１の熱交換器５６ａまたは第２流路切換手段６１ｂ、第３流路切換手段６１ｃを介して、供給管５１に接続されている。
【００３９】
第１流路切換手段６１ａは、供給管５１からの流体を放熱器５３と第２流路切換手段６１ｂとのいずれか一方に供給する三方弁である。第２流路切換手段６１ｂは、第１流路切換手段６１ａからの流体を第１の熱交換器５６ａと第３流路切換手段６１ｃとのいずれか一方に供給する三方弁である。第３流路切換手段６１ｃは、第２流路切換手段６１ｂか第１の熱交換器５６ａからの流体を第２の熱交換器５６ｂと供給管５１とのいずれか一方に供給する三方弁である。本実施の形態では、第２流路切換手段６１ｂ、第３流路切換手段６１ｃにより本発明の流路切換手段を構成している。
【００４０】
さらに、供給管５１、回収管５２及び貯湯タンク５５には、おのおの、第１温度検出手段７１、第２温度検出手段７２、第３温度検出手段７３が設けられている。第３温度検出手段７３は、第１の熱交換器５６ａと第２の熱交換器５６ｂの間に配置されることが望ましい。
【００４１】
以上のように構成された温水暖房給湯装置について、以下、蓄熱運転を行う場合について説明する。
【００４２】
まず、冷媒回路２において、圧縮機２１から吐出された高圧ガス冷媒は、冷媒流体熱交換器２２に流入し、凝縮熱を放熱して、冷媒流体熱交換器２２の流体流路を通過する流体
と熱交換して、流体を加熱する。
【００４３】
一方、冷媒流体熱交換器２２から流出した高圧液冷媒は、膨張手段２３によって減圧されて膨張した後に、蒸発器２４に流入する。蒸発器２４に流入した低圧二相冷媒は、蒸発して空気から気化熱を吸熱して、低圧の二相冷媒または過熱冷媒となって蒸発器２４から流出する。
【００４４】
蒸発器２４から流出した低圧冷媒は、四方弁３を通過してアキュムレータ２５で気液分離が行われた後、気相冷媒が圧縮機２１に吸入される。
【００４５】
一方、流体回路５において、循環手段５４から吐出された流体は、冷媒流体熱交換器２２において冷媒流体熱交換器２２の冷媒流路で凝縮する冷媒と熱交換して加熱され高温の流体となる。
【００４６】
まず、貯湯タンク５５の蓄熱量が所定の値以下となる高負荷の場合について説明する。図１では、冷媒の流れ方向と水の流れ方向とを矢印で示している。この場合には、制御装置（図示せず）により、第１流路切換手段６１ａは、供給管５１と第２流路切換手段６１ｂが連通するように切り換えられる。また、第２流路切換手段６１ｂは、第１流路切換手段６１ａと第１の熱交換器５６ａとが連通するように切り換えられる。第３流路切換手段６１ｃは、第１の熱交換器５６ａと第２の熱交換器５６ｂとが連通するように切り換えられる。また、流量調整手段６１ｄは、流体がほぼ流れないような状態、例えば、流量調整手段６１ｄが電磁開閉弁の場合には、閉状態に設定される。
【００４７】
冷媒流体熱交換器２２で生成された高温の流体は、第１流路切換手段６１ａ、第２流路切換手段６１ｂを通じて貯湯タンク５５の上部に内設された第１の熱交換器５６ａに流入する。そして、第１の熱交換器５６ａを通して、貯湯タンク５５の略上半分の温水に放熱する。
【００４８】
その後、第３流路切換手段６１ｃを経由して、冷媒流体熱交換器２２で生成された温水は貯湯タンク５５の下部に内設された第２の熱交換器５６ｂを通して放熱して、貯湯タンク５５内の略下半分の温水を加熱する。
【００４９】
このとき、第１の熱交換器５６ａおよび第２の熱交換器５６ｂが、貯湯タンク５５内の温水を加熱するので、高温の温水が貯湯タンク５５全体に蓄熱される。
【００５０】
第１の熱交換器５６ａ、第２の熱交換器５６ｂを通じて貯湯タンク５５内を加熱した流体は、供給管５１（図１中ａ点）と合流する。そして、流路が開状態に設定されている流量調整手段６１ｄにより、バイパス回路５６に流入し、循環手段５４を経由して、冷媒流体熱交換器２２に搬送される。
【００５１】
次に、貯湯タンク５５の蓄熱量が所定の値を超過する低負荷の場合について、図２を用いて説明する。
【００５２】
この場合には、制御装置により、第１流路切換手段６１ａは、供給管５１と第２流路切換手段６１ｂが連通するように切り換えられる。また、第２流路切換手段６１ｂは、第１流路切換手段６１ａと第１の熱交換器５６ａとが連通するように切り換えられる。第３流路切換手段６１ｃは、第１の熱交換器５６ａと供給管５１とが連通するように切り換えられる。
【００５３】
温水暖房給湯装置１０の冷媒流体熱交換器２２で生成された温水は、第１流路切換手段
６１ａ、第２流路切換手段６１ｂを通じて貯湯タンク５５へ流入し、貯湯タンク５５に内設された第１の熱交換器５６ａを通して放熱する。
【００５４】
このとき、第１の熱交換器５６ａが、貯湯タンク５５内の上部の温水を加熱するので、高温の温水が貯湯タンク５５の上部のみに蓄熱される。
【００５５】
貯湯タンク５５内を加熱した温水は、第３流路切換手段６１ｃを経由して第２の熱交換器５６ｂを通過せずに供給管５１（図２中ａ点）と合流する。そして、流路が開状態に設定されている流量調整手段６１ｄにより、バイパス回路５６に流入し、循環手段５４を経由して、冷媒流体熱交換器２２に搬送される。
【００５６】
貯湯タンク５５の蓄熱量の所定の値としては、貯湯タンク５５の全体のうち高温の温水が占める割合が例えば略半分であるときの貯湯タンクの蓄熱量を採用できる。より具体的には、第３温度検出手段７３が制御装置のメモリなどに記憶された所定値（例えば、３０℃）より低い場合には、貯湯タンク５５の蓄熱量は所定の値以下であると判定する。一方、第３温度検出手段７３が所定値を超過する場合には、貯湯タンク５５の蓄熱量は所定の値を超過していると判定する。
【００５７】
蓄熱された温水の保有する熱量を用いて、給湯負荷が賄われる。つまり、貯湯タンク５５の全体の蓄えられた温水は、台所の蛇口や風呂場のシャワーなどに供給され、給湯に用いられる。
【００５８】
以上説明したように、本実施の形態では、熱負荷に応じ貯湯タンク５５全体に蓄熱するか、貯湯タンク５５の一部に蓄熱するかを選択できるために、過剰に貯湯タンク５５に蓄熱することがないため、エネルギー利用の効率を向上させることができる。
【００５９】
なお、本実施の形態では、熱負荷が高い場合には、第１の熱交換器５６ａのみに、加熱流体を流し、貯湯タンク５５の上部側のみに蓄熱するものとしているが、第２の熱交換器５６ｂのみに、加熱流体を流すように切換手段を切り換え、貯湯タンク５５の下部側のみに蓄熱するものとしてもよい。ただし、貯湯タンク５５内の自然対流により高温の湯が上部側に移動することを考慮すると、本実施の形態のように、上部側のみに蓄熱するほうが、より効率よく蓄熱できる。
【００６０】
特に、本実施形態では、蓄熱運転を行うまで、例えば、前日までの給湯負荷、または暖房負荷が高く、貯湯タンク５５の蓄熱量が低下している場合には、加熱流体が流れる流路を切り換えることで貯湯タンク５５の第１の熱交換器５６ａと第２の熱交換器５６ｂの両方に加熱流体を循環させて放熱させ、貯湯タンク５５の温水を加熱し、貯湯タンク５５全体を蓄熱させることができる。
【００６１】
一方、給湯負荷、または暖房負荷が低く、貯湯タンク５５の蓄熱量が低下していない場合には、流路切換手段を制御して第１の熱交換器５６ａにのみ熱源装置１からの加熱流体を循環させることで、温水を貯湯タンク５５の略上半分の領域に集中的に蓄熱させることができる。
【００６２】
これによれば、熱負荷が高いか低いかを容易に判定できるので、エネルギー利用の効率を向上させることができる。
【００６３】
なお、図１では、第１流路切換手段６１ａ、第２流路切換手段６１ｂおよび第３流路切換手段６１ｃはいずれも１つの切換手段で流路を切り換えているが、少なくともいずれか１つの流路切換手段を複数個の流量調整手段にすることで、流路を切り換えてもよい。ま
た、本実施の形態のように、第１の熱交換器５６ａと第２の熱交換器５６ｂとにともに流体を流す場合と、第１の熱交換器５６ａのみに流体を流す場合を切り換えるのであれば、第１流路切換手段と第２流路切換手段は省略できる。
【００６４】
また、貯湯タンク５５の蓄熱量を判定する方法として、第３温度検出手段７３の検出値を用いているが、これに限定されることなく、貯湯タンク５５の上下方向に複数の温度検出手段を設けて、これらの検出値から貯湯タンク５５の蓄熱量を判定してもよい。この場合には、より細かく貯湯タンク５５内の蓄熱量を判定できるので、より効率的な流路切換手段の切り換えが可能となる。
【００６５】
（実施の形態２）
図３を用い、本発明の第２の実施形態を説明する。第１の実施形態と同様に構成された温水暖房給湯装置について、以下、暖房運転を行う場合について説明する。暖房運転時には、熱源装置１を停止し、冷媒回路２に冷媒が循環していないこと、および、流体回路５において、流量調整手段６１ｄが閉状態に設定されていることが、第１実施の形態で説明した蓄熱運転時と異なる。
【００６６】
まず、放熱器５３の放熱量が所定の値を超過する高負荷の場合について説明する。図３では、水の流れ方向を矢印で示している。制御装置により、第１流路切換手段６１ａは、供給管５１と第２流路切換手段６１ｂが連通するように切り換えられる。また、第２流路切換手段６１ｂは、第１流路切換手段６１ａと第１の熱交換器５６ａとが連通するように切り換えられる。第３流路切換手段６１ｃは、第１の熱交換器５６ａと第２の熱交換器５６ｂとが連通するように切り換えられる。
【００６７】
冷媒流体熱交換器２２から流出した流体は、第１流路切換手段６１ａ、第２流路切換手段６１ｂを通じて貯湯タンク５５の上部に内設された第１の熱交換器５６ａを循環し、第３流路切換手段６１ｃを経由して、貯湯タンク５５の下部に内設された第２の熱交換器５６ｂを循環し、貯湯タンク５５全体から吸熱する。
【００６８】
その後、貯湯タンク５５から吸熱した温水は供給管５１（図３中ａ点）と合流する。そして、流路が閉状態に設定されている流量調整手段６１ｄにより、バイパス回路５６に流入せず、放熱器５３へ搬送される。そして、放熱器５３で放熱し暖房を行い、循環手段５４を経由して、冷媒流体熱交換器２２に搬送される。
【００６９】
次に、放熱器５３の放熱量が所定の値以下の低負荷の場合について、図４を用いて説明する。
【００７０】
この場合には、制御装置により、第１流路切換手段６１ａは、供給管５１と第２流路切換手段６１ｂが連通するように切り換えられる。また、第２流路切換手段６１ｂは、第１流路切換手段６１ａと第１の熱交換器５６ａとが連通するように切り換えられる。第３流路切換手段６１ｃは、第１の熱交換器５６ａと供給管５１とが連通するように切り換えられる。
【００７１】
温水暖房給湯装置１０の冷媒流体熱交換器２２から流出した加熱流体は、第１流路切換手段６１ａ、第２流路切換手段６１ｂを通じて貯湯タンク５５の上部に内設された第１の熱交換器５６ａを循環し、貯湯タンク５５から吸熱して第３流路切換手段６１ｃを経由し、第２の熱交換器５６ｂを通過せずに供給管５１（図４中ａ点）と合流する。
【００７２】
その後、流路が閉状態に設定されている流量調整手段６１ｄにより、バイパス回路５６に流入せず、放熱器５３へ搬送される。そして、放熱器５３で、放熱し暖房を行い、循環
手段５４を経由して、冷媒流体熱交換器２２に搬送される。
【００７３】
放熱器５３の放熱量が所定の値を超過しているか否かの判定方法として、より具体的には、第２温度検出手段７２が制御装置のメモリなどに記憶された所定値（例えば、３０℃）を超過する場合には、放熱器５３の放熱量は所定の値以下であると判定する一方、第２温度検出手段７２が所定値より低い場合には、放熱器５３の放熱量は所定の値を超過していると判定する。
【００７４】
なお、本実施の形態では、熱源装置１を停止し、冷媒回路２に冷媒が循環していないので、第２温度検出手段７２の検出値の代わりに第１温度検出手段７１の検出値を用いても同様の効果が得られる。ただし、熱源装置１を運転する場合にも、暖房運転を行うこともできるので、より正確に放熱器５３での放熱量が所定の値を超過しているか否かを判定するには、第２温度検出手段７２の検出値を用いるほうが望ましい。また、放熱器５３での放熱量が所定の値を超過しているか否かを判定するのに、放熱器５３を流れる流体の循環量を考慮するようにすれば、さらに正確に判定できる。
【００７５】
以上説明したように、本実施形態では、暖房に使う放熱器５３の熱負荷、つまり、放熱器５３での放熱量が所定の値を超過する高負荷の場合、流路を切り換えることで貯湯タンク５５の第１の熱交換器５６ａと第２の熱交換器５６ｂの両方に流体を循環させて、貯湯タンク５５全体に蓄熱された熱を暖房に利用する。
【００７６】
一方、暖房に使う放熱器５３の熱負荷、つまり、放熱器５３での放熱量が所定の値以下の低負荷の場合、流路切換手段を制御して第１の熱交換器５６ａにのみ流体を循環させることで、貯湯タンク５５の第１の熱交換器５６ａのみ、つまり、貯湯タンクの略上半分に蓄熱された温水のみから吸熱を行い、放熱器５３での暖房に利用する。
【００７７】
つまり、暖房に使う放熱器５３の負荷に応じて、貯湯タンク５５に蓄えられた高温の温水の領域を全体と略上半分とで変化させて、蓄熱された熱量を使うことでエネルギー利用の効率を向上させることができる。
【００７８】
（実施の形態３）
第１の実施形態と同様に構成された温水暖房給湯装置について、以下、放熱器５３の放熱量が所定の値を超過する高負荷の暖房運転を行う場合で、貯湯タンク５５の蓄熱量が所定の値以下となる場合について説明する。
【００７９】
放熱器５３の放熱量が所定の値を超過する高負荷の暖房運転を行う場合には、第２の実施形態で説明したように、流路切換手段により、放熱器５３に流れる流体を、第１の熱交換器５６ａ、第２の熱交換器５６ｂに循環させ、貯湯タンク５５全体から吸熱する。
【００８０】
しかし、貯湯タンク５５の蓄熱量が所定の値以下となる場合、つまり、第３温度検出手段７３が制御装置のメモリなどに記憶された所定値（例えば、３０℃）より低い場合には、第１の熱交換器５６ａのみに、流体を循環させ、貯湯タンク５５上部のみから吸熱する。
【００８１】
つまり、放熱器５３の放熱量が所定の値を超過する高負荷の暖房運転を行う場合でも、貯湯タンク５５下部の温度が低下している場合には、第２の熱交換器５６ｂから吸熱することがない。
【００８２】
これによれば、周囲の温水の温度が低下して、熱交換する余地がほとんどない第２の熱交換器５６ｂに流体を流すことがないので、よりエネルギー利用の効率を向上させること
ができる。
【産業上の利用可能性】
【００８３】
以上のように、本発明にかかる温水暖房給湯装置は、貯湯タンクの熱負荷の大小に応じて流路を切り換え、貯湯タンクに蓄える温水の領域を全体と略上半分とに変化させて、貯湯タンクの熱負荷に応じた蓄熱を行い利用することで、エネルギー利用の効率を向上させることができるので、水を加熱して温水を生成し、その温水を暖房・給湯に利用する暖房給湯システムなどの用途にも適用できる。
【符号の説明】
【００８４】
１  熱源装置
２  冷媒回路
５  流体回路
１０  温水暖房給湯装置
２１  圧縮機
２２  冷媒流体熱交換器
２３  膨張手段
２４  蒸発器
５４  循環手段
５５  貯湯タンク
５６ａ  第１の熱交換器
５６ｂ  第２の熱交換器
６１ａ  第１流路切換手段
６１ｂ  第２流路切換手段
６１ｃ  第３流路切換手段
６１ｄ  流量調整手段
【図１】
2012013346.tif 000003
【図２】
2012013346.tif 000004
【図３】
2012013346.tif 000005
【図４】
2012013346.tif 000006
【図５】
2012013346.tif 000007